(57)【要約】【課題】放送されている番組をユーザーが本当に視聴しているのか否かを判断し、分析し、好みの番組を推定することができる番組嗜好推定装置、画像視聴システム、番組視聴確認方法、及びプログラムを提供する。【解決手段】番組視聴手段に表示された番組を視聴するユーザーを撮影するための撮影手段と、撮影手段により撮影された画像から番組に対する視聴態度を番組に関連づけて記録する記録手段と、視聴態度に基づいてユーザーの好みの番組を推定する推定手段と、を備えた。【選択図】図１
2011166572.tif 000002
【特許請求の範囲】
【請求項１】
番組視聴手段に表示された番組を視聴するユーザーを撮影するための撮影手段と、
前記撮影手段により撮影された画像から前記番組に対する視聴態度を前記番組に関連づけて記録する記録手段と、
前記視聴態度に基づいて前記ユーザーの好みの番組を推定する推定手段と、
を備えたことを特徴とする番組嗜好推定装置。
【請求項２】
前記記録手段は、検出した前記ユーザーの左右の瞳の座標及び顔面積の変化から前記視聴手段に対する前記ユーザーが正対しているか否かを記録することを特徴とする請求項１記載の番組嗜好推定装置。
【請求項３】
前記記録手段は、前記ユーザーの瞳を検出し、前記番組に対する凝視の度合いを記録することを特徴とする請求項１または２記載の番組嗜好推定装置。
【請求項４】
前記記録手段は、前記ユーザーが番組を視聴しているときの喜怒哀楽の度合いから嗜好情報を記録することを特徴とする請求項１から３の何れか一項記載の番組嗜好推定装置。
【請求項５】
前記記録手段は、ユーザーごとに嗜好情報をデータベース化して記録することを特徴とする請求項１から４の何れか一項記載の番組嗜好推定装置。
【請求項６】
前記視聴手段が設置されている室内の音声を検出する音声検出手段を備え、
前記推定手段は、前記室内の雑音と前記視聴手段の音声とを比較することにより前記ユーザーが凝視しているか否かを推定することを特徴とする請求項１から５の何れか一項記載の番組嗜好推定装置。
【請求項７】
番組を視聴するための視聴手段と、番組の内容を録画するための録画手段と、請求項１から６の何れか一項記載の番組嗜好推定装置と、前記番組嗜好推定装置で推定したユーザーの嗜好情報に基づいてユーザーの好みの番組を視聴予約もしくは録画予約する予約手段と、を備えたことを特徴とする画像視聴システム。
【請求項８】
番組を視聴するユーザーを撮影し、撮影された画像から前記番組に対する視聴態度を前記番組に関連づけて記録し、前記視聴態度に基づいて前記ユーザーの好みの番組を推定することを特徴とする番組視聴確認方法。
【請求項９】
コンピュータに、
撮影手段が、番組視聴手段に表示された番組を視聴するユーザーを撮影する手順、
記録手段が、前記撮影手段により撮影された画像から前記番組に対する視聴態度を前記番組に関連づけて記録する手順、
推定手段が、前記視聴態度に基づいて前記ユーザーの好みの番組を推定する手順、
を実行させることを特徴とするプログラム。
【発明の詳細な説明】
【技術分野】
【０００１】
本発明は、番組嗜好推定装置、画像視聴システム、番組視聴確認方法、及びプログラムに関する。
【背景技術】
【０００２】
近年テレビジョン（テレビともいう）放送番組やインターネット放送番組等を予約録画もしくは予約視聴するための装置が種々開発されている（例えば、特許文献１〜５参照）。
【０００３】
特許文献１に記載の発明は、「録画システム」に関するものであり、具体的には「放送されるテレビ番組の放送波を受信する受信手段と、そのテレビ番組をメディアに録画する録画手段と、を有する録画装置と、通信路を介して前記録画装置に接続されるサーバと、を備えた録画システムにおいて、前記録画装置は、ユーザーの性別および／または年齢を含む個人情報を登録する記憶手段と、前記通信路を介して前記個人情報を前記サーバに送信する通信手段と、を有し、前記サーバは、過去放送された第１のテレビ番組の視聴率の一覧と該第１のテレビ番組を特定する番組特定情報の一覧とが対応付けられたテーブルを、性別および／または年齢層別に複数記憶する記憶手段と、前記通信手段から送信された前記個人情報に適合する１つのテーブルを適合テーブルとして前記記憶手段から読み出し、前記通信路を介して前記録画装置に返信する返信手段と、を有し、前記録画装置の前記録画手段は、前記返信手段から前記適合テーブルが返信されると、その適合テーブルの、予め指定された閾値より高い視聴率の第１のテレビ番組の番組特定情報に基づいて、その第１のテレビ番組の次回に放送される第２のテレビ番組を前記メディアに録画する」ものである。
【０００４】
特許文献１に記載の発明は、ユーザーが、自身の年齢や性別を録画装置に予め登録することで、年齢層や性別等に応じた高視聴率番組を自動的に録画して、多くの者が知っている情報にユーザーがついて行けるようにすることを目的としている。
【０００５】
特許文献２に記載の発明は、「磁気記録再生装置における自動学習録画装置」に関するものであり、具体的には「時刻を計時する計時部回路と、テレビジョン受像機のチューナーで受信した放送番組の映像信号と磁気記録再生装置に設けられたチューナーで受信される各放送チャンネルの映像信号とを比較することにより、前記テレビジョン受像機が受信した放送番組のチャンネルを判別する映像信号判別回路と、この映像信号判別回路の判別結果または前記磁気記録再生装置の受信チャンネル情報と前記計時部回路が計時する時刻に基づいて、テレビジョン受像機及び磁気記録再生装置のうち少なくとも一方において、所定回数受信を行った放送番組のチャンネル及び放送開始時刻を含む番組データを好みの番組データとして記憶するメモリと、前記計時部回路が計時する時刻が、前記メモリに記憶した好みの番組データの放送開始時刻に一致し、かつ前記テレビジョン受像機と磁気記録再生装置の双方とも前記好みの番組データの示すチャンネルの放送番組を受信していなかった際に、前記磁気記録再生装置に前記放送番組の録画を行わせる制御回路とを具備した」ものである。
【０００６】
特許文献２に記載の発明は、何回か録画予約したことがある番組を好みの番組であると判断して自動録画することを目的としている。
【０００７】
特許文献３に記載の発明は、「自動録画方法」に関するものであり、具体的には「放送番組に関する番組情報と、利用者の過去の番組視聴についての視聴履歴情報とを取得し、この番組情報及び視聴履歴情報から利用者が視聴する番組の嗜好を学習し、この学習の結果をもとに番組情報で示される将来放送予定の番組の中から利用者の視聴可能性のある番組を検索し、番組予約する」ものである。
【０００８】
特許文献３に記載の発明は、繁雑な設定を行うことなく、自動的に利用者の嗜好を学習し、好みにあった番組を自動的に録画予約して録画することができることを目的としている。
【０００９】
特許文献４に記載の発明は、「コンテンツの自動記録装置」に関するものであり、具体的には「コンテンツの嗜好に関する複数種類の操作と、前記操作の対象となったコンテンツについての説明情報とから、前記操作の種類毎の嗜好値パラメータを用いて、コンテンツの嗜好に関する操作の履歴情報を作成する嗜好操作履歴管理手段と、前記履歴情報に基づき、コンテンツの嗜好に関する複数の要素についての嗜好値から成る嗜好情報を作成及び更新する嗜好情報管理手段と、前記嗜好情報とコンテンツについての説明情報とからコンテンツに対する嗜好度を計算し、該嗜好度に基づいてコンテンツの記録予約を行うコンテンツ推薦手段とを備え、前記コンテンツ推薦手段で記録予約されたコンテンツが記録されるようにした」ものである。
【００１０】
特許文献４に記載の発明は、テレビ番組のようなコンテンツを、コンテンツの嗜好に関するユーザーの様々な操作に基づき、ユーザーの複雑・多様な嗜好に合わせて自動的に記録できるようにすることを目的としている。
【００１１】
特許文献５に記載の発明は、「情報処理装置」に関するものであり、具体的には「ユーザーによる所定のコンテンツを好むことを示す操作に基づき、コンテンツに関する嗜好情報を取得する取得手段と、前記取得手段により取得された前記嗜好情報とコンテンツについての説明情報から、コンテンツに対する嗜好の度合いを表す嗜好値を算出し、算出された前嗜好値に基づいて、ユーザーの嗜好に合うコンテンツの情報からなるコンテンツリストを作成するリスト作成手段とを備える」ものである。
特許文献５に記載の発明は、嗜好情報に合った番組を迅速に予約録画することができることを目的としている。
【先行技術文献】
【特許文献】
【００１２】
【特許文献１】特開２００９−１１１５６１号公報
【特許文献２】特開平５−６２２８３号公報
【特許文献３】特開平１１−３４５４４６号公報
【特許文献４】特開２００４−７２５０２号公報
【特許文献５】特開２００６−５０６６２号公報
【発明の概要】
【発明が解決しようとする課題】
【００１３】
ところで、特許文献１〜５に記載の技術では、テレビ受像機（以下、テレビと表記）が作動していることでユーザーが視聴していると仮定し、ユーザーが嗜好する番組を推定するため、テレビがついているときにカーペット上に置いた新聞のテレビガイド欄を見たり、他のユーザー（例えば、家族）と話をしたりする、いわゆる“ながら族”の嗜好する番組を把握することは難しい。
【００１４】
また、前述した特許文献１〜５に開示された技術では、ユーザー側に何らかの操作を行わせることで操作を行ったユーザーの嗜好を分析するため、構成が煩雑になり、操作を行わないユーザーの嗜好を把握することは困難である。
【００１５】
さらに前述した技術では、ただテレビをつけて音声だけ機器が流しているだけで放送されている番組をユーザーがあまり見ていない場合もあるので、本当に視聴しているのか否かを判断し、分析し、好みの番組を推定する技術が望まれる。
【００１６】
そこで、本発明の目的は、放送されている番組をユーザーが本当に視聴しているのか否かを判断し、分析し、好みの番組を推定することができる番組嗜好推定装置、画像視聴システム、番組視聴確認方法、及びプログラムを提供することにある。
【課題を解決するための手段】
【００１７】
本発明の請求項１記載の発明は、番組視聴手段に表示された番組を視聴するユーザーを撮影するための撮影手段と、前記撮影手段により撮影された画像から前記番組に対する視聴態度を前記番組に関連づけて記録する記録手段と、前記視聴態度に基づいて前記ユーザーの好みの番組を推定する推定手段と、を備えたことを特徴とする。
【００１８】
請求項２記載の発明は、請求項１記載の発明において、前記記録手段は、検出した前記ユーザーの左右の瞳の座標及び顔面積の変化から前記視聴手段に対する前記ユーザーが正対しているか否かを記録することを特徴とする。
【００１９】
請求項３記載の発明は、請求項１または２記載の発明において、前記記録手段は、前記ユーザーの瞳を検出し、前記番組に対する凝視の度合いを記録することを特徴とする。
【００２０】
請求項４記載の発明は、請求項１から３の何れか一項記載の発明において、前記記録手段は、前記ユーザーが番組を視聴しているときの喜怒哀楽の度合いから嗜好情報を記録することを特徴とする。
【００２１】
請求項５記載の発明は、請求項１から４の何れか一項記載の発明において、前記記録手段は、ユーザーごとに嗜好情報をデータベース化して記録することを特徴とする。
【００２２】
請求項６記載の発明は、請求項１から５の何れか一項記載の発明において、前記視聴手段が設置されている室内の音声を検出する音声検出手段を備え、前記推定手段は、前記室内の雑音と前記視聴手段の音声とを比較することにより前記ユーザーが凝視しているか否かを推定することを特徴とする。
【００２３】
請求項７記載の発明は、番組を視聴するための視聴手段と、番組の内容を録画するための録画手段と、請求項１から６の何れか一項記載の番組嗜好推定装置と、前記番組嗜好推定装置で推定したユーザーの嗜好情報に基づいてユーザーの好みの番組を視聴予約もしくは録画予約する予約手段と、を備えたことを特徴とする。
【００２４】
請求項８記載の発明は、番組を視聴するユーザーを撮影し、撮影された画像から前記番組に対する視聴態度を前記番組に関連づけて記録し、前記視聴態度に基づいて前記ユーザーの好みの番組を推定することを特徴とする。
【００２５】
請求項９記載の発明は、コンピュータに、撮影手段が、番組視聴手段に表示された番組を視聴するユーザーを撮影する手順、記録手段が、前記撮影手段により撮影された画像から前記番組に対する視聴態度を前記番組に関連づけて記録する手順、推定手段が、前記視聴態度に基づいて前記ユーザーの好みの番組を推定する手順、を実行させることを特徴とすることを特徴とする。
【発明の効果】
【００２６】
本発明によれば、放送されている番組をユーザーが本当に視聴しているのか否かを判断し、分析することができる番組嗜好推定装置、画像視聴システム、番組視聴確認方法、及びプログラムの提供を実現することができる。
【図面の簡単な説明】
【００２７】
【図１】本発明に係る番組嗜好推定装置を用いた画像視聴システムのブロック図の一例である。
【図２】（ａ）、（ｂ）は、本発明に係る番組嗜好推定装置を用いた画像視聴システムの概念図であり、（ｃ）は（ａ）の使用状態を示す一例である。
【図３】図１に示した画像視聴システムに用いられる番組嗜好推定装置の動作を示すフローチャートであり、ユーザーの番組に対する視聴状態を検出するためのフローチャートの一例である。
【図４】図１に示した画像視聴システムに用いられる番組嗜好推定装置の動作を示すフローチャートであり、ユーザーの好みの番組を検出するためのフローチャートの一例である。
【図５】（ａ）〜（ｄ）は図１に示した画像視聴システムによる使用状況を説明するための説明図である。
【図６】本発明に係る番組嗜好推定装置を用いた画像視聴システムのブロック図の他の一例である。
【図７】本発明に係る番組嗜好推定装置を用いた画像視聴システムのブロック図の他の一例である。
【図８】本発明に係る番組嗜好推定装置を用いた画像視聴システムのブロック図の他の一例である。
【図９】本発明に係る番組嗜好推定装置を用いた画像視聴システムのブロック図の他の一例である。
【図１０】図１に示した画像視聴システムに用いられる番組嗜好推定装置の動作を示すフローチャートであり、ユーザーの番組に対する視聴状態を検出するためのフローチャートの他の一例である。
【図１１】図１に示した画像視聴システムに用いられる番組嗜好推定装置の動作を示すフローチャートであり、ユーザーの好みの番組を検出するためのフローチャートの他の一例である。
【発明を実施するための形態】
【００２８】
本発明の実施の形態を、図を参照して説明する。
ここで、テレビにはアナログテレビとデジタルテレビとの二種類が挙げられる。アナログ放送波は２０１１年７月２４日に停止されることになっているが、本願ではアナログテレビとデジタルテレビとの両方の場合について説明する。
原則としてアナログ対応のブロックの符号にはＡを付加し、デジタル対応のブロックの符号にはＤを付加し、何れでも良い場合にはＡもＤも付加していない。
例えば、テレビ１２０はアナログテレビ、デジタルテレビのいずれでもよく、テレビ１２０Ａはアナログテレビを意味し、テレビ１２０Ｄはデジタルテレビを意味する。
【００２９】
＜概  要＞
図２（ａ）、（ｂ）は、本発明に係る番組嗜好推定装置を用いた画像視聴システムの概念図であり、図２（ｃ）は図２（ａ）の使用状態を示す一例である。
図２（ａ）に示す番組視聴システムは、番組視聴手段としてのテレビ１２０、番組嗜好推定装置、カメラ、及び人感センサで構成されている。図２（ｂ）に示す番組視聴システムは、番組嗜好推定装置、カメラ、及び人感センサで構成されているが、テレビを有しても良い。
【００３０】
図２（ｃ）は図２（ａ）の一例であり、番組嗜好推定装置１０１は、テレビ１２０に設けられたカメラ１０８及び人感センサ１０９を用いてユーザー１０が番組を視聴する際にどの程度凝視しているか等を検知し、ユーザーの好みの番組をデータベース化し、ユーザーが好む番組を推定する。図２（ａ）に示すテレビ１２０が視聴予約機能を有する場合には視聴予約時に番組情報を提示する。
ユーザーが図２（ｂ）に示す録画機器１２１を用いる場合には予約時に好みの番組情報を提示する。
【００３１】
すなわち、本願は、顔認証技術を用いることで、放送している番組をどの位凝視しているか、また、お笑い番組であればどの位笑顔になったかをデータベース化することで、ユーザーに煩わしい操作を強いることなく、詳細な好みを推定することができ、予約の際に反映することができる。
【００３２】
＜実施の形態１＞
［構  成］
図１は、本発明に係る番組嗜好推定装置を用いた画像視聴システムのブロック図の一例である。
【００３３】
画像視聴システム１００−１は、主に番組嗜好推定装置１０１Ａ、及びテレビ１２０Ａを有するシステムであり、テレビ放送を視聴するユーザーの番組嗜好を推定し、データベース化するためのシステムである。
【００３４】
番組嗜好推定装置１０１Ａは、ＣＰＵ(Central Processing Unit)１０２、ＲＯＭ(Read Only Memory)１０３、ＲＡＭ(Random Access Memory)１０４、計時部１０５、操作部１０６、Ｉ／Ｏポート１０７、カメラ１０８、人感センサ１０９、チューナー１１０、多重化分離／デコード部１１１、番組情報解析部１１２、及びリモコン受信部１１３を有する。１１４はバスラインであり、１１５はケーブルである。また、マイクロフォン２００を有していてもよい。
【００３５】
推定手段としてのＣＰＵ(Central Processing Unit)１０２は、番組嗜好推定装置１０１Ａを統括制御する回路であり、例えばマイクロプロセッサが用いられる。
【００３６】
ＲＯＭ１０３は、番組嗜好推定装置１０１Ａの動作プログラムを保存する回路であり、例えばマスクＲＯＭが用いられる。
【００３７】
記録手段としてのＲＡＭ１０４は、各種データを記録する回路であり、ユーザーを撮影して得られた画像データ、解析データ、予約時間、予約番組等のデータを記録する。ＲＡＭ１０４は、例えば、フラッシュメモリもしくはＨＤＤ(Hard Disk Drive)が用いられる。
【００３８】
計時部１０５は、予約の基準となる時間信号を発生する回路であり、例えば、商用電源の周波数（５０Ｈｚもしくは６０Ｈｚ）に同期して時間信号を発する通常の計時部回路が用いられる（例えば、特開平６−２８２８９３号公報、特開平１０−１９１１８８号公報、特開２００２−３１０４８２号公報参照）。
【００３９】
操作部１０６は、図示しないオンオフスイッチやテンキー等各種ボタン、操作状態や解析結果を表示する操作表示パネル等からなり、各種指示信号を発生する。
【００４０】
Ｉ／Ｏポート１０７は、番組嗜好推定装置１０１Ａと外部の回路（後述するパーソナルコンピュータ）とを接続するためのインターフェース回路である。
【００４１】
カメラ１０８は、ユーザー（特に瞳）を撮影するためのカメラであり、例えば、ＣＣＤ(Charge Coupled Device)カメラが挙げられる。
【００４２】
人感センサ１０９は、赤外線、超音波、可視光等を用いてテレビ１２０Ａの前面にユーザーがいるか否かを検知するための公知のセンサであるが、省略してもよい。
【００４３】
チューナー１１０は、テレビ１２０Ａからケーブルとしての同軸ケーブル１１５を介して送られてきたデジタル放送波の中からユーザーが所望した放送波を選択し、デジタル信号に変換する回路である。
【００４４】
多重化分離／デコード部１１１は、チューナー１１０で選択され変換されたデジタル信号を番組の信号と番組に関する情報信号とに分離し、デコードする回路である。
【００４５】
番組情報解析部１１２は、多重化分離／デコード部１１１からの信号を受け、受信中（視聴中）の放送波の番組がどのジャンル（例えば、ニュース番組、お笑い番組、ドラマ等）に属するのかを解析する回路であり、得られた情報はチャンネル情報や時間情報と共にＲＡＭ１０４に記録される。
【００４６】
リモコン受信部１１３は、ユーザーによって操作されたリモコン１１６からのチャンネルや音声ボリューム等の指令の信号を受信する回路である。
１１４は、バスラインであり、制御信号、データ信号等を各回路間で授受するための配線である。
【００４７】
ケーブル１１５は、テレビのテレビ放送波の出力端子とチューナー１１０とを接続するためのケーブルであり、例えば同軸ケーブルが挙げられる。
【００４８】
テレビ１２０Ａは、アナログテレビ放送波を受信するための装置であり、チューナー、フロントエンド、画像を表示する表示部（例えば、液晶ディスプレイ、プラズマディスプレイ等）１２０ａ、音声発生部、操作部（各種ボタン、テンキー、オンオフスイッチ等）、及びリモコン受信部１２０ｂを有する（尚、説明を簡単にするため、表示部１２０ａ及びリモコン受信部１２０ｂのみ図示した）。
【００４９】
ここで、カメラ１０８及び人感センサ１０９は、図では番組嗜好推定装置１０１Ａに内蔵された形式となっているが、番組嗜好推定装置１０１Ａの本体に延長コードで接続され、例えば、テレビ１２０Ａの表示部１２０ａの上側にユーザーに対向して配置されてもよい。
【００５０】
また、リモコン１１６Ａは、番組嗜好推定装置１０１Ａのリモコン受信部１１３と、テレビ１２０Ａのリモコン受信部１２０ｂとの双方に共通の操作が可能なように設定されている。
【００５１】
［動  作］
図３は、図１に示した画像視聴システムに用いられる番組嗜好推定装置の動作を示すフローチャートであり、ユーザーの番組に対する視聴状態を検出するためのフローチャートの一例である。
動作の主体は、ＣＰＵ１０２である（図１参照）。
テレビ（図１参照）１２０Ａがつくと、ＣＰＵ１０２はこれを検知し、人感センサ１０９に反応が有るか否か、すなわちユーザーがテレビ１２０Ａの前面にいるかいないかを判断する（ステップＳ１００）。
【００５２】
ＣＰＵ１０２は、人感センサ１０９に反応が無い、すなわちユーザーがテレビ１２０Ａの前にいないと判断した場合には待機し（ステップＳ１００／Ｎ）、人感センサ１０９に反応が有ると判断した場合（ステップＳ１００／Ｙ）、カメラ１０８（図１参照）で撮影されたユーザーの顔を、顔認証技術を用いて瞳を検出できるか否か判断する（ステップＳ１０１）。
【００５３】
ＣＰＵ１０２は、ユーザーの瞳を検出できない場合には待機し（ステップＳ１０１／Ｎ）、ユーザーの瞳を検出できた場合（ステップＳ１０１／Ｙ）、顔認証技術を用いて左右の瞳の座標値を検出する（ステップＳ１０２）。
【００５４】
ＣＰＵ１０２は、ユーザーがカメラ１０８及びテレビ１２０Ａに正対しているか否かを判断する。ここで、左右の瞳のＸ座標値に相違がある場合には斜めを向いていると判断する（ステップＳ１０３）。
【００５５】
ＣＰＵ１０２は、ユーザーがカメラ１０８及びテレビ１２０Ａに正対していないと判断した場合には待機し（ステップＳ１０３／Ｎ）、ユーザーがカメラ１０８及びテレビ１２０Ａに正対していると判断した場合（ステップＳ１０３／Ｙ）、検出した瞳から顔認証技術を用いて顔の輪郭を検出する（ステップＳ１０４）。
【００５６】
ＣＰＵ１０２は、ユーザーが下を向いていないか否かを判断する。ここで、顔全体の大きさから瞳の位置により俯き加減を判断する（ステップＳ１０５）。
【００５７】
ＣＰＵ１０２は、下を向いていると判断した場合（ステップＳ１０５／Ｎ）、ステップＳ１００に戻り、下を向いていないと判断した場合（ステップＳ１０５／Ｙ）、顔認証技術を用いてユーザーを特定する（ステップＳ１０６）。
【００５８】
ＣＰＵ１０２は、カメラ１０８で撮影したユーザーの顔が顔認証技術を用いて笑顔か否かを判断し（ステップＳ１０７）、笑顔であると判断した場合（ステップＳ１０７／Ｙ）、ユーザー情報に、タイムスタンプ視聴番組情報、及び笑顔である旨を付加してＲＡＭ１０４に保存し（ステップＳ１０８）、ステップＳ１００に戻る。
【００５９】
ＣＰＵ１０２は、カメラ１０８で撮影したユーザーの顔が笑顔でないと判断した場合（ステップＳ１０７／Ｎ）、ユーザーの眉間にしわが寄っている等、渋面か否かを判断する（ステップＳ１０９）。
【００６０】
ＣＰＵ１０２は、ユーザーの顔が渋面であると判断した場合（ステップＳ１０９／Ｙ）、ユーザー情報に、タイムスタンプ、視聴番組情報、渋面である旨を付加してＲＡＭ１０４（図１参照）に保存し（ステップＳ１１０）、ステップＳ１００に戻る。
【００６１】
ＣＰＵ１０２は、ユーザーの顔が渋面でないと判断した場合（ステップＳ１０９／Ｎ）、ユーザー情報に、タイムスタンプ、視聴番組情報、視聴している旨を付加してＲＡＭ１０４に保存し（ステップＳ１１１）、ステップＳ１００に戻る。
以上の動作によりユーザーの番組に対する視聴状態を検出することができる。
【００６２】
図４は、図１に示した画像視聴システムに用いられる番組嗜好推定装置の動作を示すフローチャートであり、ユーザーの好みの番組を検出するためのフローチャートの一例である。
動作の主体はＣＰＵ１０２である。
【００６３】
予約等の処理が開始されると、ＣＰＵ１０２は、ユーザーの好みの番組（番組嗜好傾向）を解析する解析日を特定し（ステップＳ２００）、画像視聴システムを利用する複数（ユーザーが複数いるものとする。）のユーザーのうちから抽出対象者を特定する（ステップＳ２０１）。
【００６４】
ＣＰＵ１０２は、タイムスタンプ、視聴番組情報から、番組時間帯を特定し（ステップＳ２０２）、上記番組時間帯における、視聴時間、笑顔時間、渋面時間を計測する（ステップＳ２０３）。
【００６５】
ＣＰＵ１０２は、上記番組時間帯における、上記計測時間の割合を抽出し（ステップＳ２０４）、笑顔の回数が閾値（例えば、１０回もしくは笑顔率６０％）以上か否かを判断し（ステップＳ２０５）、笑顔の回数が閾値以上であると判断した場合（ステップＳ２０５／Ｙ）、お笑い番組か否かを判断する。ここで、笑顔率とは、笑顔の時間を、番組を凝視していた時間で割った比率をいう（ステップＳ２０６）。
【００６６】
ＣＰＵ１０２は、ユーザーが視聴している番組がお笑い番組であると判断した場合（ステップＳ２０６／Ｙ）、ユーザーの好みの番組であるとしてＲＡＭ１０４に記録し（ステップＳ２０７）、終了する。
【００６７】
ＣＰＵ１０２は、ユーザーの笑顔の回数が閾値以上でないと判断した場合（ステップＳ２０５／Ｎ）、渋面の回数が閾値（例えば１０回もしくは渋面率６０％）以上であるか否かを判断し（ステップＳ２０９）、渋面の回数が閾値以上であると判断した場合（ステップＳ２０９／Ｙ）、ユーザーの視聴している番組がニュース番組であるか否かを判断する。ここで、渋面率とは渋面の時間を、番組を凝視していた時間で割った比率をいう（ステップＳ２１０）。
【００６８】
ＣＰＵ１０２は、ユーザーが視聴している番組がニュース番組であると判断した場合（ステップＳ２１０／Ｙ）、好みの番組であるとしてＲＡＭ１０４に記録し（ステップＳ２０７）、終了する。
【００６９】
ＣＰＵ１０２は、ユーザーの視聴している番組がお笑い番組ではないと判断した場合（ステップＳ２０６／Ｎ）、ユーザーの視聴している番組がホームドラマか否かを判断する（ステップＳ２０８）。
【００７０】
ＣＰＵ１０２は、ユーザーの視聴している番組がホームドラマでないと判断した場合（ステップＳ２０８／Ｎ）、放送時間帯における視聴時間割合を（後学のため）ＲＡＭ１０４に記録し（ステップＳ２１２）、終了する。
【００７１】
ＣＰＵ１０２は、ユーザーの渋面の回数が閾値以上ではないと判断した場合（ステップＳ２０９／Ｎ）、放送時間帯における視聴時間割合をＲＡＭ１０４に記録し（ステップＳ２１２）、終了する。
【００７２】
ＣＰＵ１０２は、ユーザーの視聴している番組がニュース番組ではないと判断した場合（ステップＳ２１０／Ｎ）、ユーザーの視聴している番組がシリアスドラマか否かを判断する（ステップＳ２１１）。
【００７３】
ＣＰＵ１０２は、ユーザーの視聴している番組がシリアスドラマであると判断した場合（ステップＳ２１１）、好みの番組であるとしてＲＡＭ１０４に記録し（ステップＳ２０７）、終了する。
【００７４】
ＣＰＵ１０２は、ユーザーの視聴している番組がシリアスドラマではないと判断した場合（ステップＳ２１１／Ｎ）、放送時間帯における視聴時間割合をＲＡＭ１０４に記録し（ステップＳ２１２）、終了する。
【００７５】
以上の動作によりユーザーの番組の嗜好傾向を推定し、データベース化することができる。
【００７６】
図５（ａ）〜（ｄ）は図１に示した画像視聴システムによる使用状況を説明するための説明図である。
ユーザーが、お笑い番組（図５（ｂ））、ニュース番組（図５（ｃ））、ドラマ（図５（ｄ））、及び通常の番組（図５（ｂ）〜図５（ｄ）以外の番組とする）を見ている状態を示している。
図５（ｂ）の場合、同一番組の放送時間内にどの程度ユーザーが凝視していたかに加え、笑顔で視聴していた時間がどの程度あったかを判断する。例えば、ユーザーがお笑い番組を凝視していた時間内の笑顔率が６０％以上であれば好みの番組であると推定することができる。
【００７７】
図５（ｃ）の場合、年代推測と併せた判断を行う。例えば、２０歳代以上で６０％以上の凝視率であれば好みの番組であると推定することができる。
【００７８】
図５（ｄ）の場合、同一番組の放送時間内にどの程度凝視していたかに加え、笑顔で凝視していたかに加え、眉間にしわを寄せていた等、リラックスした表情とは異なる表情で視聴していた時間の割合で推定する。番組のジャンルにもよるが、例えば、シリアスなドラマの場合は、渋面で視聴する時間がある程度存在する、ホームドラマ等は笑顔で視聴する時間がある程度存在するなどの場合に好みの番組であると推定することができる。
【００７９】
図５（ａ）〜（ｄ）のいずれの場合であっても、番組嗜好推定装置１０１Ａとマイクロフォン２００とを併用することでより詳細な推定ができる可能性もある。例えば、テレビ１２０Ａが設置されている室内の雑音とテレビ１２０Ａのボリュームとを比較することにより、テレビ１２０Ａの音声がほとんど聞こえないであろうと思われる環境にも関わらず、ユーザーが凝視しているのは、「ぼんやり」と眺めていると推定することができる。
【００８０】
本実施の形態によれば、放送されている番組をユーザーが本当に視聴しているのか否かを判断し、分析し、好みの番組を推定することができ、録画予約や視聴予約の際に録画機器等に反映させることができる。すなわち、ユーザーにとっておまかせ予約が容易になる。
【００８１】
＜実施の形態２＞
図６は、本発明に係る番組嗜好推定装置を用いた画像視聴システムのブロック図の他の一例である。
図６に示した画像視聴システム１００−２の図１に示した画像視聴システム１００−１との相違点は、番組嗜好推定装置１０１Ａにテレビ１２０Ａの他にアナログ対応の録画機器１２１Ａを接続した点である。
【００８２】
図６において、１１７はテレビ１２０Ａからケーブル１１５ａを介して送られてくるアナログテレビ放送波を二等分する分岐器である。分岐器１１７で分配されたテレビ放送波は、ケーブル１１５ｂ、１１５ｃで番組嗜好推定装置１０１Ａ及び録画機器１２１Ａに送られる。
【００８３】
録画機器１２１Ａは、アナログテレビ放送を録画、再生するための装置であり、チューナー、多重化分離／デコード部、記録回路（例えば、ＨＤＤ、ＤＶＤドライブ(Digital Versatile Disc)）、及び操作部（各種ボタン、テンキー、オンオフスイッチ等）１２１ａ、リモコン受信部１２１ｂを有する装置であり、例えば、公知のＤＶＤハードディスクレコーダが挙げられる（説明を簡単にするため、操作部１２１ａ及びリモコン受信部１２１ｂのみ記載した）。
【００８４】
リモコン１２２Ａは、録画機器１２１Ａ用のリモコンであり、指示信号はリモコン受信部１２１ｂで受信され、録画予約に反映される。通常、録画機器１２１Ａ用のリモコン１２２Ａとテレビ１２０Ａ用のリモコン１１６Ａとはチャンネルの選択や音量の調整は共通に操作できるようになっており、通常複数のリモコンがユーザーの手元に置かれることが多い。
【００８５】
このような構成を用いても放送されている番組をユーザーが本当に視聴しているのか否かを判断し、分析し、好みの番組を推定することができ、録画予約や視聴予約の際に録画機器等に反映させることができる。すなわち、ユーザーにとっておまかせ予約が容易になる。
【００８６】
＜実施の形態３＞
図７は、本発明に係る番組嗜好推定装置を用いた画像視聴システムのブロック図の他の一例である。
図７に示した画像視聴システム１００−２の図１に示した画像視聴システム１００−１との相違点は、デジタル対応に構成した点である。
【００８７】
すなわち、番組嗜好推定装置１０１Ｄは、ＣＰＵ(Central Processing Unit)１０２、ＲＯＭ１０３、ＲＡＭ１０４、計時部１０５、操作部１０６、Ｉ／Ｏポート１０７、カメラ１０８、人感センサ１０９、多重化分離／デコード部１１１、及び番組情報解析部１１２を有する。
１５０はテレビ１２０ＤのＨＤＭＩ端子と番組嗜好推定装置１０１ＤのＩ／Ｏポート１０７とを接続するためのケーブルである。ＨＤＭＩはHigh-Definition Multimedia Interfaceの略であり、家電向けのデジタル映像・音声入出力端子の一種である。ＨＤＭＩ端子は、デジタル映像信号、デジタル音声信号、及びデジタル制御信号を１つにまとめているのが特徴であり、簡単・確実に接続することができるようになっている。リモコン１１６Ｄはテレビ１２０Ｄを操作するためのリモコンである。
【００８８】
各ブロックの機能については図１に示した番組嗜好推定装置１０１Ａと同様の構成であるので、説明を省略する。
【００８９】
このような構成を用いても放送されている番組をユーザーが本当に視聴しているのか否かを判断し、分析し、好みの番組を推定することができ、録画予約や視聴予約の際に録画機器等に反映させることができる。すなわち、ユーザーにとっておまかせ予約が容易になる。
【００９０】
＜実施の形態４＞
図８は、本発明に係る番組嗜好推定装置を用いた画像視聴システムのブロック図の他の一例である。
図８に示した画像視聴システム１００−４の図６に示した画像視聴システム１００−２との相違点は、デジタル対応に構成した点である。
【００９１】
すなわち、画像視聴システム１００−４は、番組嗜好推定装置１０１Ｄにテレビ１２０Ｄと録画機器１２１Ｄとを接続した構成である。
図では分岐器１１７を用いて各装置を接続しているが、テレビ１２０Ｄが複数のＨＤＭＩ端子を有する場合には分岐器１１７を用いずにケーブルだけで接続してよいのはいうまでもない。リモコン１２２Ｄは録画機器１２１Ｄを操作するためのリモコンである。
【００９２】
各ブロックの機能については図１に示した番組嗜好推定装置１０１Ａと同様の構成であるので、説明を省略する。
【００９３】
このような構成を用いても放送されている番組をユーザーが本当に視聴しているのか否かを判断し、分析し、好みの番組を推定することができ、録画予約や視聴予約の際に録画機器等に反映させることができる。すなわち、ユーザーにとっておまかせ予約が容易になる。
【００９４】
＜実施の形態５＞
図９は、本発明に係る番組嗜好推定装置を用いた画像視聴システムのブロック図の他の一例である。
図９に示した画像視聴システム１００−５の図１に示した画像視聴システム１００−１との相違点は、テレビ１２０Ａを用いる代わりにインターネット放送を利用する点である。
【００９５】
ここで、「インターネット放送」とは、インターネットプロトコルを用いて提供する放送を模したコンテンツである。「放送」とは、音声や動画等のマルチメディアデータを不特定多数の端末にネットワークを介して送信することを意味する。放送法で定められた放送や有線放送には当てはまらず、法的には一対多の通信とみなされる。
【００９６】
図９に示す画像視聴システム１００−５は、番組嗜好推定装置１０１Ａ、及びネットワーク１３１に接続されるパーソナルコンピュータ（ＰＣ）１３０を有する。尚、番組嗜好推定装置１０１Ａの代わりに番組嗜好推定装置１０１Ｄを用いてもよい。
パーソナルコンピュータ１３０は、主に、図示しないＣＰＵ、ＲＯＭ、ＲＡＭ、Ｉ／Ｏポート、表示部１３０ａ、及び操作部１３０ｂを有する（説明を簡単にするため、表示部１３０ａ及び操作部１３０ｂのみ記載した）。
ネットワーク１３１にはインターネット放送局側のサーバ１３２が接続されている。
同システムではチューナーを利用していないが、番組情報についてはサーバ１３２からネットワーク１３１を介して番組嗜好推定装置１０１が受信することができるようになっている。
【００９７】
このような構成を用いても放送されている番組をユーザーが本当に視聴しているのか否かを判断し、分析し、好みの番組を推定することができる。
【００９８】
＜実施の形態６＞
図１０は、図１に示した画像視聴システムに用いられる番組嗜好推定装置の動作を示すフローチャートであり、ユーザーの番組に対する視聴状態を検出するためのフローチャートの他の一例である。テレビはアナログテレビ及びデジタルテレビの何れにも対応する。
図１０に示したフローチャートと図３に示したフローチャートとの相違点は、ユーザーの操作が“ながら”であることをデータベース化する点である。
動作の主体はＣＰＵ１０２である（図１参照）。
【００９９】
ＣＰＵ１０２はユーザーによる操作が“ながら”であるか否かを判断し（ステップＳ３００）、“ながら”であると判断した場合（ステップＳ３００／Ｙ）、データベース化（図ではＤＢ化）し（ステップＳ３０１）、ステップＳ３０２に進み、“ながら”ではないと判断した場合（ステップＳ３００／Ｙ）、そのままステップＳ３０２に進む。
【０１００】
ここで、“ながら”であるか否かの判断は、例えば、ユーザーがテレビ１２０の表示部１２０ａやパーソナルコンピュータ１３０の表示部１３０ａを見たり、新聞の番組欄を見たり、他の作業をしたりする場合、凝視したり、顔を下に向けたりと言う動作が短時間内（例えば、数秒〜数十秒）に交互に行われる場合とする。
【０１０１】
ステップＳ３０２〜Ｓ３１３は、図３に示したフローチャートのステップＳ１００〜Ｓ１１１と同様であるため、説明を省略する。
このような構成を用いても放送されている番組をユーザーが本当に視聴しているのか否かを判断し、分析し、好みの番組を推定することができる。
【０１０２】
＜実施の形態７＞
図１１は、図１に示した画像視聴システムに用いられる番組嗜好推定装置の動作を示すフローチャートであり、ユーザーの好みの番組を検出するためのフローチャートの他の一例である。
図１１に示したフローチャートと図４に示したフローチャートとの相違点は、処理開始の定刻を決める点である。
動作の主体はＣＰＵ１０２である。
【０１０３】
ＣＰＵ１０２は、定刻を特定する。定刻とは処理を開始する時刻であり、ユーザーが番組嗜好推定装置１０１の操作部１０６の操作により行われる。尚、終了時刻も特定される（ステップＳ４００）。
定刻が特定されると、ステップＳ４０１に進むが、ステップＳ４０１〜Ｓ４１２は、図４に示したフローチャートのステップＳ２００〜Ｓ２１２と同様であるため、説明を省略する。
このような構成を用いても放送されている番組をユーザーが本当に視聴しているのか否かを判断し、分析し、好みの番組を推定することができる。
【０１０４】
＜プログラム＞
以上で説明した本発明にかかる番組嗜好推定装置は、コンピュータで処理を実行させるプログラムによって実現されている。コンピュータとしては、例えばマイクロプロセッサのような汎用的なものが挙げられるが、本発明はこれに限定されるものではない。よって、一例として、プログラムにより本発明を実現する場合の説明を以下で行う。
【０１０５】
コンピュータに、
(1)撮影手段が、番組視聴手段に表示された番組を視聴するユーザーを撮影する手順、
(2)記録手段が、前記撮影手段により撮影された画像から番組に対する視聴態度を前記番組に関連づけて記録する手順、
(3)推定手段が、視聴態度に基づいてユーザーの好みの番組を推定する手順、
を実行させることを特徴とする
が挙げられる。
【０１０６】
これにより、プログラムが実行可能なコンピュータ環境さえあれば、どこにおいても本発明にかかる番組嗜好推定装置を実現することができる。
【０１０７】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【０１０８】
なお、上述した実施の形態は、本発明の好適な実施の形態の一例を示すものであり、本発明はそれに限定されることなく、その要旨を逸脱しない範囲内において、種々変形実施が可能である。
例えば、上述した実施の形態では、ユーザーが１人の場合で説明したが、本発明はこれに限定されるものではなく、番組嗜好推定装置を利用するユーザーの家族や同居人ごとにデータベース化し、各ユーザー毎の嗜好情報を予約に反映するようにしてもよい。また、上述した実施の形態ではテレビに個別アンテナが接続された場合で説明したが、ＣＡＴＶ(Common Antenna Tele Vision)を用いた場合であってもよい。
【符号の説明】
【０１０９】
１０    ユーザー
１００−１、１００−２、１００−３、１００−４、１００−５    画像視聴システム
１０１Ａ、１０１Ｄ    番組嗜好推定装置
１０２    ＣＰＵ
１０３    ＲＯＭ
１０４    ＲＡＭ
１０５    計時部
１０６、１２１ａ、１３０ｂ    操作部
１０７    Ｉ／Ｏポート
１０８    カメラ
１０９    人感センサ
１１０    チューナー
１１１    多重化分離／デコード部
１１２    番組情報解析部
１１３    リモコン受信部
１１４    バスライン
１１５、１１５ａ、１１５ｂ、１１５ｃ、１５０、１５０ａ、１５０ｂ、１５０ｃ    ケーブル
１１６Ａ、１１６Ｄ、１２２Ａ、１２２Ｄ    リモコン
１１７    分岐器
１２０Ａ、１２０Ｄ    テレビ受像機（テレビ）
１２０ａ、１３０ａ    表示部
１２０ｂ、１２１ｂ    リモコン受信部
１２１Ａ、１２１Ｄ    録画機器
１３０    パーソナルコンピュータ（ＰＣ）
１３１    ネットワーク
１３２    サーバ
２００    マイクロフォン
【図１】
2011166572.tif 000003
【図２】
2011166572.tif 000004
【図３】
2011166572.tif 000005
【図４】
2011166572.tif 000006
【図５】
2011166572.tif 000007
【図６】
2011166572.tif 000008
【図７】
2011166572.tif 000009
【図８】
2011166572.tif 000010
【図９】
2011166572.tif 000011
【図１０】
2011166572.tif 000012
【図１１】
2011166572.tif 000013